【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
誤り制御符号を使用してデータを符号化する方法であり、送信機で実行される方法であって、
前記データの系列を前記誤り制御符号のコードブックGからのコードワードにマッピングするステップと、
チャネルでの送信のために前記コードワードを転送するステップと
を有し、
前記コードブックGは、他のコードブックPのサブコードブックであり、
前記サブコードブックGの各コードワードgは、gと前記サブコードブックGの他のコードワードのそれぞれとの間の各相関振幅と異なっており、これよりも高い自己相関振幅を有する方法。
【請求項２】
前記サブコードブックGは、
(a)空のサブコードブックGを定め、
(b)コードブックPからコードワードを選択し、コードブックPからの前記コードワードをサブコードブックGに含め、
(c)コードブックPからの前記コードワードの自己相関振幅を計算し、
(d)コードブックPからの前記コードワードとコードブックPの各コードワードとの間の相関振幅を計算し、相関振幅が前記自己相関振幅と等しいコードブックPの各コードワードをコードブックPから削除し、
(e)複数のコードワードの全てがコードブックPから削除されるまで動作(b)〜(d)を繰り返す
ことにより、前記コードブックPから生成される、請求項１に記載の方法。
【請求項３】
前記自己相関振幅は、
【数１４】
2013537010.tif 000001
として計算され、
前記相関振幅は、
【数１５】
2013537010.tif 000002
として計算され、
ただし、pt,  t=1,2,...Tは、サブコードブックGに含まれるコードブックPからのコードワードに関連する一式のT個のデータシンボルのうちのデータシンボルであり、
【数１６】
2013537010.tif 000003
は、ptの複素共役であり、
【数１７】
2013537010.tif 000004
は、コードブックPのコードワードに関連する一式のT個のデータシンボルのうちのデータシンボルである、請求項２に記載の方法。
【請求項４】
通信チャネルで受信したデータの系列を復号化する方法であり、前記系列は、前記チャネルでの送信の前に、誤り制御符号を使用して符号化されており、受信機で実行される方法であって、
前記通信チャネルで受信された前記データの系列を取得するステップと、
前記誤り制御符号のコードブックGのコードワード毎に、前記系列と前記コードワードとの間の相関値を計算するステップと、
最も高い相関値を生じる前記コードブックGの中のコードワードを選択するステップと
を有し、
前記コードブックGは、他のコードブックPのサブコードブックであり、
前記サブコードブックGの各コードワードgは、gと前記サブコードブックGの他のコードワードのそれぞれとの間の各相関振幅と異なっており、これよりも高い自己相関振幅を有する方法。
【請求項５】
前記サブコードブックGは、
(a)空のサブコードブックGを定め、
(b)コードブックPからコードワードを選択し、コードブックPからの前記コードワードをサブコードブックGに含め、
(c)コードブックPからの前記コードワードの自己相関振幅を計算し、
(d)コードブックPからの前記コードワードとコードブックPの各コードワードとの間の相関振幅を計算し、相関振幅が前記自己相関振幅と等しいコードブックPの各コードワードをコードブックPから削除し、
(e)複数のコードワードの全てがコードブックPから削除されるまで動作(b)〜(d)を繰り返す
ことにより、前記コードブックPから生成される、請求項４に記載の方法。
【請求項６】
前記自己相関振幅は、
【数１８】
2013537010.tif 000005
として計算され、
前記相関振幅は、
【数１９】
2013537010.tif 000006
として計算され、
ただし、pt,  t=1,2,...Tは、サブコードブックGに含まれるコードブックPからのコードワードに関連する一式のT個のデータシンボルのうちのデータシンボルであり、
【数２０】
2013537010.tif 000007
は、ptの複素共役であり、
【数２１】
2013537010.tif 000008
は、コードブックPのコードワードに関連する一式のT個のデータシンボルのうちのデータシンボルである、請求項５に記載の方法。
【請求項７】
前記データの系列は、OFDMを使用して受信され、
前記相関値は、
【数２２】
2013537010.tif 000009
として計算され、
前記pijはタイルi及びデータトーンjのデータシンボルであり、yijkは受信機のアンテナkで受信したpijの値である、請求項４ないし６のうちいずれか１項に記載の方法。
【請求項８】
誤り制御符号を使用してデータを符号化するように構成されたデータ通信システムのデバイスであって、
前記誤り制御符号のコードブックGを格納するメモリと、
前記データの系列を前記コードブックGからのコードワードにマッピングするように構成された符号化器と、
チャネルで前記コードワードを送信する送信回路と
を有し、
前記コードブックGは、他のコードブックPのサブコードブックであり、
前記サブコードブックGの各コードワードgは、gと前記サブコードブックGの他のコードワードのそれぞれとの間の各相関振幅と異なっており、これよりも高い自己相関振幅を有するデバイス。
【請求項９】
通信チャネルで受信したデータの系列を復号化するように構成されたデータ通信システムのデバイスであって、前記系列は、前記チャネルでの送信の前に、誤り制御符号を使用して符号化されているデバイスであって、
前記チャネルから前記データの系列を受信する受信回路と、
誤り制御符号のコードブックGを格納するメモリと、
前記コードブックGのコードワード毎に、前記系列と前記コードワードとの間の相関値を計算し、最も高い相関値を生じる前記コードブックGの中のコードワードを選択するように構成された復号化器と
を有し、
前記コードブックGは、他のコードブックPのサブコードブックであり、
前記サブコードブックGの各コードワードgは、gと前記サブコードブックGの他のコードワードのそれぞれとの間の各相関振幅と異なっており、これよりも高い自己相関振幅を有するデバイス。
【請求項１０】
誤り制御符号を使用してデータを符号化する方法を実行するコンピュータ可読命令を格納したコンピュータ可読媒体であって、
前記コンピュータ可読命令は、
前記データの系列を前記誤り制御符号のコードブックGからのコードワードにマッピングし、
チャネルでの送信のために前記コードワードを転送する
ことを有する動作を実行する命令を含み、
前記コードブックGは、他のコードブックPのサブコードブックであり、
前記サブコードブックGの各コードワードgは、gと前記サブコードブックGの他のコードワードのそれぞれとの間の各相関振幅と異なっており、これよりも高い自己相関振幅を有するコンピュータ可読媒体。
【請求項１１】
通信チャネルで受信したデータの系列を復号化する方法を実行するコンピュータ可読命令を格納したコンピュータ可読媒体であり、前記系列は、前記チャネルでの送信の前に、誤り制御符号を使用して符号化されているコンピュータ可読媒体であって、
前記コンピュータ可読命令は、
前記通信チャネルで受信された前記データの系列を取得し、
前記誤り制御符号のコードブックGのコードワード毎に、前記系列と前記コードワードとの間の相関値を計算し、
最も高い相関値を生じる前記コードブックGの中のコードワードを選択する
ことを有する動作を実行する命令を含み、
前記コードブックGは、他のコードブックPのサブコードブックであり、
前記サブコードブックGの各コードワードgは、gと前記サブコードブックGの他のコードワードのそれぞれとの間の各相関振幅と異なっており、これよりも高い自己相関振幅を有するコンピュータ可読媒体。
【請求項１２】
コードブックPを有する誤り制御符号のサブコードブックGを構成する方法であり、処理ユニットで実行される方法であって、
(a)空のサブコードブックGを定めるステップと、
(b)コードブックPからコードワードを選択し、コードブックPからの前記コードワードをサブコードブックGに含めるステップと、
(c)コードブックPからの前記コードワードの自己相関振幅を計算するステップと、
(d)コードブックPからの前記コードワードとコードブックPの各コードワードとの間の相関振幅を計算し、相関振幅が前記自己相関振幅と等しいコードブックPの各コードワードをコードブックPから削除するステップと、
(e)複数のコードワードの全てがコードブックPから削除されるまで動作(b)〜(d)を繰り返すステップと
を有する方法。
【請求項１３】
前記自己相関振幅は、
【数２３】
2013537010.tif 000010
として計算され、
前記相関振幅は、
【数２４】
2013537010.tif 000011
として計算され、
ただし、pt,  t=1,2,...Tは、サブコードブックGに含まれるコードブックPからのコードワードに関連する一式のT個のデータシンボルのうちのデータシンボルであり、
【数２５】
2013537010.tif 000012
は、ptの複素共役であり、
【数２６】
2013537010.tif 000013
は、コードブックPのコードワードに関連する一式のT個のデータシンボルのうちのデータシンボルである、請求項１２に記載の方法。
【請求項１４】
処理ユニットとメモリとを有するデバイスであって、
請求項１２又は１３に記載の方法を実行するように構成されたデバイス。
【請求項１５】
請求項１２又は１３に記載の方法を実行するコンピュータ可読命令を格納したコンピュータ可読媒体。